(57)【要約】【課題】緩衝材同士を紐等で括っても割れや欠けが発生しない緩衝材を提供する。【解決手段】本考案の緩衝材は、製品の梱包に用いる緩衝材であって、二以上の前記緩衝材を組み合わせて紐で括った際に前記紐が屈折して当接する角部に、一方の面側より落ち込ませた紐掛け用凹部を設け、前記紐掛け用凹部の底面と他方の面が交差する端部が面取りした斜面をなすことを特徴とする。【選択図】図２
0003176209.tif 000002
【実用新案登録請求の範囲】
【請求項１】
製品の梱包に用いる緩衝材であって、二以上の前記緩衝材を組み合わせて紐で括った際に前記紐が屈折して当接する角部に、一方の面側より落ち込ませた紐掛け用凹部を設け、前記紐掛け用凹部の底面と他方の面が交差する端部が面取りした斜面をなすことを特徴とする緩衝材。
【請求項２】
前記凹部の底面が、前記凹部の前記紐が当接する２つの端部を結ぶ斜面であることを特徴とする請求項１の緩衝材。
【考案の詳細な説明】
【技術分野】
【０００１】
本考案は製品を梱包するために用いる緩衝材に関する。
【背景技術】
【０００２】
製品を梱包するために用いる緩衝材は、製造された後、製品を梱包する工場等の目的地に輸送される。その際、１つの製品を梱包するための上下一対の緩衝材を分離させないように、当該一対の緩衝材同士が組み合わされ、紐で括られる。ここで、図５に示されるように、緩衝材２０１が略直方体で角部２０７を有するものであれば、角部２０７に紐２０６がかけられて括られる。
【先行技術文献】
【特許文献】
【０００３】
【特許文献１】特開２００８−８１１９９号公報
【考案の概要】
【考案が解決しようとする課題】
【０００４】
しかし、図５に示す状態で緩衝材２０１を輸送すると、紐がかけられた角部２０７に力が集中し、紐２０６が緩衝材２０１の角部２０７に食い込み、この部分から緩衝材２０１の割れや欠けが発生することがある。特に、緩衝材２０１が発泡樹脂のような割れや欠けの発生し易い材料からなる場合は、この問題が頻繁に起こる。
【０００５】
これを防ぐために、紐２０６と緩衝材２０１の間に段ボール等の部材を挟むことが考えられるが、作業の手間となる。
【０００６】
本考案の目的は、余計な部材を使用しなくても緩衝材同士を紐で括った時の割れや欠けを防止できる緩衝材を提供することである。
【課題を解決するための手段】
【０００７】
本考案の緩衝材は、製品の梱包に用いる緩衝材であって、二以上の前記緩衝材を組み合わせて紐で括った際に前記紐が屈折して当接する角部に、一方の面側より落ち込ませた紐掛け用凹部を設け、前記紐掛け用凹部の底面と他方の面が交差する端部が面取りした斜面をなすことを特徴とする。
【考案の効果】
【０００８】
本考案の緩衝材によれば、緩衝材の形状のために紐と緩衝材との当接部にかかる力を分散できるため、他の部材を使用しなくても、緩衝材１の割れや欠けを防ぐことができる。
【図面の簡単な説明】
【０００９】
【図１】緩衝材単体の斜視図。
【図２】緩衝材同士を紐で括った状態の斜視図。
【図３】緩衝材同士を紐で括った状態の部分断面図。
【図４】部分断面図。
【図５】従来の緩衝材同士を紐で括った状態の斜視図。
【考案を実施するための形態】
【００１０】
実施形態の緩衝材１は、図１に示すように、内部に製品を収納する収納凹部１０を有し、外形が略直方体をなしている。収納凹部１０にはスリット１４が設けられており、スリット１４に沿って緩衝材１を右側緩衝材１ａと左側緩衝材１ｂに分離することができる。左側緩衝材１ａ、右側緩衝材１ｂは、それぞれ製品の隅に嵌める緩衝材となる。
【００１１】
緩衝材１の材質は特に限定されないが、発泡樹脂のように、緩衝機能を有し、かつある程度の強度を有するものが良い。
【００１２】
緩衝材１の側面１１と上面１３が形成する角部の2ヶ所には、側面１１から僅かに落ち込む紐掛け用凹部２、３が設けられている。紐掛け用凹部２、３の底面２ａ、3ａと上面１３が交差する部分には、２つの面が形成する角部を面取りする形状の面取り斜面２ｂ、３ｂが形成されている。また、側面１１の反対側の側面１２と上面１３が形成する角部の2ヶ所にも、上記と同様に底面及び面取り斜面４ｂを有する紐掛け用凹部４と底面及び面取り斜面を有する紐掛け用凹部５が設けられている。
【００１３】
この緩衝材１を輸送のために梱包する場合は、図２に示すように、緩衝材１の下に逆向きにしたもう一つの緩衝材１を配置し、一方の緩衝材１の側壁１１と他方の緩衝材１の側壁１２が対向するようにして合せる。そして、上の緩衝材１の紐掛け用凹部２、５の部分と下の緩衝材１の紐掛け用凹部３、４の部分を紐６で括り緊締する。また上の緩衝材１の紐掛け用凹部３、４の部分と下の緩衝材１の紐掛け用凹部２、５の部分を紐６で括り緊締する。
【００１４】
ここで紐６として、ポリプロピレン等の合成樹脂の紐、木綿等の天然繊維のロープ等、様々な形状及び材質のものを用いることができる。
【００１５】
上記のように緩衝材１を紐６で括った場合の紐掛け用凹部３、４付近の断面図を図３に示す。上記のように緩衝材１を紐６で括った場合、例えば紐掛け用凹部３においては、紐６が面取り斜面３ｂと側面側角部３ｃの2ヶ所で緩衝材１に当接する。これに対し、緩衝材１に紐掛け用凹部３を設けない場合は、紐６が緩衝材１の角1ヶ所で緩衝材１に当接する。よって、紐掛け用凹部３が設けられたことによって、緩衝材１の角部付近における緩衝材１と紐６との当接部分にかかる力が分散され、紐６が緩衝材１に食い込み難くなり、割れや欠けが発生し難くなる。さらに、紐６は面取り斜面３ｂで緩衝材１に対し面当たりする。すると、直角な角と点当たりする場合と比較して、紐６と緩衝材１の当接面積が広くなるため、緩衝材１にかかる力が分散され、紐６が緩衝材１の角部に食い込み難くなり、割れや欠けがさらに発生し難くなる。
【００１６】
このように、緩衝材１を用いれば、余計な部材を使用しなくても、紐で括ることによる緩衝材の割れや欠けを防ぐことができる。また、緩衝材１同士を括る紐６として、幅広で緩衝材１にかかる力を分散できるバンド形状のものだけでなく、緩衝材１に加わる力が集中して食い込み易い細い紐状のものも用いることができる。さらに、緩衝材の紐掛け用凹部が紐６を通す場所を表す目印となるため、作業者が間違うことなく紐掛け用凹部の場所に紐６を掛けることができる。
【００１７】
なお、緩衝材１の梱包は、上記の実施例のように２つの緩衝材１を括るだけでなく、さらに多数の緩衝材１を括って行っても良い。
【００１８】
また、１つの緩衝材に設けられる紐掛け用凹部の数は、上記の実施例のように４つに限られず、必要に応じて増やしても良いし、減らしても良い。また紐掛け用凹部の面取り斜面は、少なくとも紐６の食い込みが心配される紐掛け用凹部に設けられていれば良く、全ての紐掛け用凹部に設けられている必要はない。
【００１９】
また紐掛け用凹部の断面形状は、図３に示す紐掛け用凹部３、４のような段差状のものに限られず、図４に示すように側面側角部１０３ｃと面取り斜面端部１０３ｄ、側面側角部１０４ｃと面取り斜面端部１０４ｄ、を直線で結んだ斜面状でも良い。このように紐掛け用凹部の底面を斜面とすることにより、斜面部分に紐が当接するため、紐の緩衝材への接触面積が広くなり、紐から緩衝材にかかる力が分散され、より紐が緩衝材に食い込み難くなる。
【００２０】
緩衝材１で例えば液晶パネルを梱包する場合は、まず２つの緩衝材１をそれぞれスリット１４の線で左側緩衝材１ａと右側緩衝材１ｂに分離する。そして各緩衝材の収納凹部１０、１０、１０、１０に液晶パネルの四隅を入れる。この状態で外装箱に入れ、製品の梱包が完成する。
【符号の説明】
【００２１】
１…緩衝材、１ａ…左側緩衝材、１ｂ…右側緩衝材、１０…収納凹部、１１…側面、１２…側面、１３…上面、１４…スリット、２…紐掛け用凹部、２ａ…底面、２ｂ…面取り斜面、３…紐掛け用凹部、３ａ…底面、３ｂ…面取り斜面、３ｃ…側面側角部、４…紐掛け用凹部、４ｂ…面取り斜面、４ｃ…側面側角部、５…紐掛け用凹部、６…紐、１０３ｃ…側面側角部、１０３ｄ…面取り斜面端部、１０４ｃ…側面側角部、１０４ｄ…面取り斜面端部、２０１…緩衝材、２０６…紐、２０７…角部
【図１】
0003176209.tif 000003
【図２】
0003176209.tif 000004
【図３】
0003176209.tif 000005
【図４】
0003176209.tif 000006
【図５】
0003176209.tif 000007